(57)【要約】【課題】瞼にムラなく肌用接着剤を塗布することができる液体塗布具を提供する。【解決手段】液体塗布具である液体塗布具２０は、塗布液が貯留されるタンク部４１を有する塗布液容器４０と、塗布液容器４０の先端部に設けられるスパチュラ１を有する。スパチュラ１は、筒状の本体部４と、本体部４の前端部から前方へ偏平状に延設された延設部７と、本体部４の後端から延設部７にかけて貫通し、塗布液が流通される貫通孔３を有する。延設部７には、その前端から貫通孔へ向けて切り欠いた切欠き凹状部１０が形成されて、貫通孔３の前端開口３１が画成される。そして、切欠き凹状部１０を挟んだ左右両側に先端片７０が形成される。切欠き凹状部１０は、下縁１１の後端部１１ａが上縁１２の後端部１２ａよりも前方に位置している。【選択図】  図２
2015229094.tif 000002
【特許請求の範囲】
【請求項１】
塗布液が貯留されるタンク部を有する塗布液容器と、
前記塗布液容器の先端部に設けられるスパチュラと、を有し、
前記スパチュラは、
筒状の本体部と、
前記本体部の前端部から前方へ偏平状に延設された延設部と、
前記本体部の後端から前記延設部にかけて貫通し、前記塗布液が流通される貫通孔と、を有し、
前記延設部には、その前端から前記貫通孔へ向けて切り欠いた切欠き凹状部が形成されて、前記貫通孔の前端開口が画成されると共に、前記切欠き凹状部を挟んだ左右両側の位置に先端片が形成され、
前記切欠き凹状部は、下縁の後端部が上縁の後端部よりも前方に位置することを特徴とする液体塗布具。
【請求項２】
前記先端片の前端部の内縁が湾曲状に形成されたことを特徴とする請求項１に記載の液体塗布具。
【請求項３】
前記先端片における少なくとも前記切欠き凹状部の下縁の後端よりも前方に位置する部位は、前端にいくにつれて漸次狭幅に形成されると共に、外縁を湾曲状に形成されたことを特徴とする請求項１又は請求項２に記載の液体塗布具。
【請求項４】
前記切欠き凹状部における対向する上縁の間隙が、前端にいくにつれて漸次幅広に形成されたことを特徴とする請求項１乃至請求項３のいずれか一に記載の液体塗布具。
【請求項５】
前記切欠き凹状部における対向する下縁の間隙が、前端にいくにつれて漸次幅広に形成されたことを特徴とする請求項１乃至請求項４のいずれか一に記載の液体塗布具。
【請求項６】
前記貫通孔は、前方にいくにつれて上下方向の間隔が漸次狭小化される狭小孔部を有することを特徴とする請求項１乃至請求項５のいずれか一に記載の液体塗布具。
【請求項７】
前記塗布液容器に後端開口から外方へ一部突出するように設けられ、前後方向に往復動可能となったノック部材と、
前記塗布液容器の内部に設けられ、前記ノック部材のノック操作により前記タンク部内の塗布液を前記スパチュラへ送り出す送出機構と、を有し、
前記塗布液容器は、後端開口縁において最後方に位置する最後端縁部と、前記ノック部材のストロークよりも前方に位置する前端側縁部とを有し、
前記延設部において前記貫通孔の前端開口から少なくとも前記切欠き凹状部の下縁の後端部にかけて広がる部位を塗布液保持部とし、
前記塗布液保持部が下向きにあるとき、前記最後端縁部が下側に位置し前端側縁部が上側に位置することを特徴とする請求項１乃至請求項６のいずれか一に記載の液体塗布具。
【発明の詳細な説明】
【技術分野】
【０００１】
本発明は、スパチュラを備えた液体塗布具に関する。
【背景技術】
【０００２】
従来、瞼に水溶性の接着剤を塗布して二重瞼を形成する塗布具として、刷毛と二股状の先端部を有する押し棒とを利用するものが普及している。従来の塗布具で二重瞼を形成する場合には、先ず上瞼に肌用接着剤を刷毛で塗布し、その後上瞼を押し棒で押し込んで二重を形成する。すると、上瞼の二重の肌が肌用接着剤により接着され、二重瞼が形成されることとなる。
【０００３】
しかし、上述した従来の塗布具では、上瞼に肌用接着剤を塗布するための刷毛に加え、上瞼を押し込む押し棒が別途必要となり、煩雑である。さらに、押し棒で上瞼に二重を形成する際、必要以上に上瞼を押し込んでしまい、不自然な二重瞼となることがあった。
【０００４】
一方、内部に塗布液を貯留する本体と、本体の先端部に設けられた塗布体と、本体内部の塗布液を加圧して塗布体へ供給する液体加圧機構とを具備した液体塗布具が知られている。この液体塗布具の塗布体は、先端部が偏平な先細り状に形成されており、この先端部の上面テーパー部に開口した吐出口から塗布液が吐出される（特許文献１参照）。この液体塗布具に肌用接着剤を貯留して二重瞼の形成に使用する場合には、先ず塗布体の吐出口から肌用接着剤を吐出させて上面テーパー部に肌用接着剤の液滴を形成する。そして、上瞼の目頭付近に塗布体の先端部を差し入れ、目尻へ向けて上瞼に沿って塗布体を横移動させることにより、上瞼に二重を形成しながら肌用接着剤を塗布することができ、二重瞼が形成されることとなる。
【先行技術文献】
【特許文献】
【０００５】
【特許文献１】特開２００７−２３６５２９号公報
【発明の概要】
【発明が解決しようとする課題】
【０００６】
特許文献１の塗布具では、上述の従来の塗布具よりも自然な二重瞼を形成することができる。しかしながら、特許文献１の塗布具では、塗布体の先端部を目頭付近の上瞼に差し入れる場合に、塗布体の上面テーパー部に保持された肌用接着剤の液滴が上瞼に必要以上に付着することとなり、また、塗布体を上瞼に沿って目尻付近へ移動させるときには、十分な肌用接着剤が上瞼に塗布されないことがあり、塗布ムラが発生していた。
【０００７】
本発明は、このような課題に鑑みてなされたものであり、上瞼にムラなく肌用接着剤を塗布して自然な二重瞼を形成することができる液体塗布具を提供するものである。
【課題を解決するための手段】
【０００８】
上記課題を解決するために、本発明のうち第１の発明によれば、
塗布液が貯留されるタンク部を有する塗布液容器と、
前記塗布液容器の先端部に設けられるスパチュラと、を有し、
前記スパチュラは、
筒状の本体部と、
前記本体部の前端部から前方へ偏平状に延設された延設部と、
前記本体部の後端から前記延設部にかけて貫通し、前記塗布液が流通される貫通孔と、を有し、
前記延設部には、その前端から前記貫通孔へ向けて切り欠いた切欠き凹状部が形成されて、前記貫通孔の前端開口が画成されると共に、前記切欠き凹状部を挟んだ左右両側の位置に先端片が形成され、
前記切欠き凹状部は、下縁の後端部が上縁の後端部よりも前方に位置することを特徴とする液体塗布具が得られる。
【０００９】
本発明のうち第２の発明によれば、上記第１の発明の特徴に加え、
前記先端片の前端部の内縁が湾曲状に形成されたことを特徴とする液体塗布具が得られる。
【００１０】
本発明のうち第３の発明によれば、上記第１又は第２の発明の特徴に加え、
前記先端片における少なくとも前記切欠き凹状部の下縁の後端よりも前方に位置する部位は、前端にいくにつれて漸次狭幅に形成されると共に、外縁を湾曲状に形成されたことを特徴とする液体塗布具が得られる。
【００１１】
本発明のうち第４の発明によれば、上記第１乃至第３の発明のいずれか一の特徴に加え、
前記切欠き凹状部における対向する上縁の間隙が、前端にいくにつれて漸次幅広に形成されたことを特徴とする液体塗布具が得られる。
【００１２】
本発明のうち第５の発明によれば、上記第１乃至第４の発明のいずれか一の特徴に加え、
前記切欠き凹状部における対向する下縁の間隙が、前端にいくにつれて漸次幅広に形成されたことを特徴とする液体塗布具が得られる。
【００１３】
本発明のうち第６の発明によれば、上記第１乃至第５の発明のいずれか一の特徴に加え、
前記貫通孔は、前方にいくにつれて上下方向の間隔が漸次狭小化される狭小孔部を有することを特徴とする液体塗布具が得られる。
【００１４】
本発明のうち第７の発明によれば、上記第１乃至第６の発明のいずれか一の特徴に加え、
前記塗布液容器に後端開口から外方へ一部突出するように設けられ、前後方向に往復動可能となったノック部材と、
前記塗布液容器の内部に設けられ、前記ノック部材のノック操作により前記タンク部内の塗布液を前記スパチュラへ送り出す送出機構と、を有し、
前記塗布液容器は、後端開口縁において最後方に位置する最後端縁部と、前記ノック部材のストロークよりも前方に位置する前端側縁部とを有し、
前記延設部において前記貫通孔の前端開口から少なくとも前記切欠き凹状部の下縁の後端部にかけて広がる部位を塗布液保持部とし、
前記塗布液保持部が下向きにあるとき、前記最後端縁部が下側に位置し前端側縁部が上側に位置することを特徴とする液体塗布具が得られる。
【発明の効果】
【００１５】
本発明によれば、以下の効果を奏する。すなわち、本発明によれば、液体塗布具のスパチュラは、貫通孔の前端開口から吐出された塗布液を２つの先端片の間に保持することができる。そして、この先端片を目頭付近の上瞼に差し入れ、スパチュラを目尻へ向けて上瞼に沿って移動させる際、先端片が上瞼の二重に間隙を形成しつつ、先端片の間に保持する肌用接着剤を上瞼の二重に塗布していく。これにより、上瞼にムラなく塗布液を塗布して自然な二重瞼を形成することができる。また、塗布液を保持した先端片の間に付けまつ毛の根元を通すことにより、付けまつ毛に塗布液を容易に塗布することもできる。
【００１６】
また、本発明のうち第２又は第３の発明によれば、上記の発明の効果に加え、以下の効果を奏する。すなわち、第２又は第３の発明によれば、先端片を目頭付近の上瞼に差し入れ、スパチュラを目尻へ向けて上瞼に沿って横移動させる際、先端片の前端部の内縁や外縁が上瞼に引っ掛からずに滑らかに移動させることができる。
【００１７】
また、本発明のうち第４又は第５の発明によれば、上記の発明の効果に加え、以下の効果を奏する。すなわち、第４又は第５の発明によれば、２つの先端片の間に形成された間隙が前端にいくにつれて漸次幅広となることから、この間隙に表面張力により保持できる塗布液を増やすことができる。
【００１８】
また、本発明のうち第６の発明によれば、上記発明の効果に加え、以下の効果を奏する。すなわち、第６の発明によれば、狭小孔部において塗布液が毛細管現象により前方へ引っ張られる。これにより、狭小孔部内に残留する塗布液を減らすことができる。
【００１９】
また、本発明のうち第７の発明によれば、上記発明の効果に加え、以下の効果を奏する。すなわち、第７の発明によれば、使用者がスパチュラの塗布液保持部を下向きにした状態でノック部材をノック操作した場合に、ノック操作の途中で指の腹が塗布液容器の最後端縁部に当接し、送出機構を作動させることができない。これにより、使用者が誤ってスパチュラの塗布液保持部を下向きにした状態でノック部材をノック操作しても、前端開口から塗布液が吐出されないため、塗布液が塗布液保持部に保持されずに垂れ落ちることを防止できる。
【図面の簡単な説明】
【００２０】
【図１】本発明の実施形態に係る液体塗布具の縦断面図である。
【図２】本発明の実施形態に係るスパチュラの平面図である。
【図３】本発明の実施形態に係るスパチュラの先端から見た側面図である。
【図４】本発明の実施形態に係るスパチュラの後端から見た側面図である。
【図５】本発明の実施形態に係るスパチュラの図２のＶ−Ｖ断面図である。
【図６】本発明の実施形態に係るスパチュラの図５のＶＩ−ＶＩ断面図である。
【図７】本発明の他の実施形態に係る液体塗布具の縦断面図である。
【図８】本発明の他の実施形態に係るスパチュラの平面図である。
【発明を実施するための形態】
【００２１】
本発明の実施の形態について、図に基づいて説明する。図１は、本発明の実施形態に係る液体塗布具２０の縦断面図である。この液体塗布具２０は、塗布液が貯留されるタンク部４１を有する塗布液容器４０と、塗布液容器４０の先端部に設けられるスパチュラ１とを備えている。本実施の形態では、塗布液として二重瞼を形成するための水溶性の肌用接着剤がタンク部４１に貯留されている。なお、液体塗布具２０において、スパチュラ１の位置する側を前側とし、その反対側を後側として説明する。
【００２２】
塗布液容器４０は、前側に首部４３を有する筒状の軸筒４２と、軸筒４２の後端部に固着された筒状の尾冠４４とを備えている。塗布液容器４０の後端、つまり尾冠４４の後端には、軸方向に垂直な後端開口縁４５が形成されている。塗布液容器４０の内部には、その後端側に位置する尾冠４４内を前後方向に往復動可能となったノック部材５８と、このノック部材５８のノック操作によりタンク部４１内の肌用接着剤をスパチュラ１へ送り出す送出機構５１とが設けられている。ノック部材５８は、その一部は尾冠４４の後端開口縁４５から外方へ突出している。
【００２３】
本実施の形態に係る送出機構５１は、回り止め部材５２、ピストンロッド５３、ピストン５４、ピストンロッドガイド５５、回転カム５６及びばね５７を備えている。ノック部材５８は、ばね５７により後方に付勢される回転カム５６とカム係合している。回転カム５６はピストンロッドガイド５５に対して軸方向に移動可能で、回転方向が規制されている。ピストンロッドガイド５５はピストンロッド５３と螺合接続し、ピストンロッド５３は回り止め部材５２に対して軸方向に移動可能で回転方向が規制されている。そして、ピストンロッド５３の前端には、ピストン５４が固定されている。使用者によりノック部材５８がノック操作されると、これに伴い送出機構５１が作動し、ピストン５４がタンク部４１内を所定距離前進してタンク部４１内の肌用接着剤をスパチュラ１へ送り出す。
【００２４】
一方、軸筒４２の前端部には、スパチュラ１が取り付けられている。本実施の形態では、スパチュラ１の後端部を載置されたホルダ６０を軸筒４２の首部４３内に嵌合させると共に、先口６１をスパチュラ１に挿通させて首部４３の外周に嵌合させることにより、軸筒４２の首部４３にスパチュラ１が取り付けられる。スパチュラ１の貫通孔３には、チューブ部材６２が挿入され、スパチュラ１とホルダ６０の接続部分における液漏れが防止されている。そして、先口６１には、スパチュラ１を保護するキャップ６３が着脱自在に設けられている。
【００２５】
次に、図２乃至図６に基づいて、スパチュラ１の構造について説明する。図２はスパチュラ１の平面図である。図３はスパチュラ１を先端側から見た側面図であり、図４はスパチュラ１を後端側から見た側面図である。図５は図２のＶ−Ｖ断面図である。図６は図５のＶＩ−ＶＩ断面図である。
【００２６】
図２に示すように、スパチュラ１は、筒状の本体部４と、本体部４の前端部から前方へ偏平状に延設された延設部７とを備えている。本実施の形態に係る本体部４は、その後端に形成されたフランジ部２と、フランジ部２から前方へ向けて連続形成された基部５と、基部５から前方へ向けて連続形成された中間部６と、中間部６の前端から延設部７の後端にかけて連続形成された接続部８とから成っている。基部５は外形を断面略円形に形成されている。中間部６の外形は、図６に示すように、左右方向を長軸とした断面略楕円形に形成されている。接続部８の外形は、図５に示すように、上面及び下面が凹湾曲状に形成されている。なお、本実施の形態に係るスパチュラ１は、熱可塑性エラストマーの射出成形により一体的に形成されている。
【００２７】
図５に示すように、本体部４の内部には、肌用接着剤の流通する貫通孔３が本体部４の後端から延設部７にかけて形成されている。図２に示すように、延設部７には、その先端から貫通孔３へ向けて切り欠いた切欠き凹状部１０が形成されると共に、貫通孔３の前端開口３１（図３参照）が画成されている。また、延設部７における切欠き凹状部１０を挟んだ左右両側の位置には、それぞれ先端片７０が形成されている。
【００２８】
図５に示すように、貫通孔３は、フランジ部２の後端から軸方向における接続部８よりも後方の位置にかけて断面略円形状の円形孔部３４が形成されている。そして、円形孔部３４の前端から前端開口３１に渡って、円形孔部３４よりも狭小な狭小孔部３５が形成されている。本実施の形態では、図４及び図５に示すように、円形孔部３４における軸方向途中から後端にかけて段状に拡径された拡径部３２が形成されており、この拡径部３２には、前後方向を長手とされた四本のリブ３３が周方向に形成されている。
【００２９】
狭小孔部３５は、先端にいくにつれて上下方向の間隔が漸次狭小となるように形成されている。本実施の形態に係る狭小孔部３５は、図６に示すように、切欠き凹状部１０の上縁１２から連続する平坦な上側内周面３６が形成されると共に、切欠き凹状部１０の下縁１１から連続する平坦な下側内周面３７が形成されている。そして、図５に示すように、上側内周面３６と下側内周面３７との間隔が、狭小孔部３５の後端から前端開口３１に向かって漸次狭小となるように形成されている。これにより、円形孔部３４から狭小孔部３５内へ到達した肌用接着剤は、毛細管現象により狭小孔部３５内を前端開口３１へ向けて引っ張られる。したがって、狭小孔部３５内に残留する肌用接着剤を減らすことができる。
【００３０】
図２及び図３に示すように、延設部７の前端部は、平面視において全体として略円弧状に形成されており、図５に示すように、延設部７の前端縁は、丸みを持った凸湾曲状に形成されている。また、延設部７は、図５に示すように、上下方向の厚みが後端から前端にかけて漸次肉薄に形成されており、しなやかに可撓することができる。このように延設部７を形成することにより、肌に延設部７を当接させた際、肌に優しい感触を与えることができる。
【００３１】
図２に示すように、切欠き凹状部１０は、下縁１１の後端部１１ａが上縁１２の後端部１２ａよりも前方に位置している。本実施の形態では、延設部７には、上述の狭小孔部３５の下側内周面３７から連続して前方へ延長され、軸方向における上縁１２の後端部１２ａと先端片７０の前端との略中間位置まで広がった塗布液保持部７４が形成されている。この塗布液保持部７４には、前端開口３１から吐出された肌用接着剤が保持される。また、塗布液保持部７４の前方において一対の先端片７０の間に形成された前端間隙７３にも、肌用接着剤が表面張力により保持される。
【００３２】
図２に示すように、切欠き凹状部１０における対向する上縁１２の間隙は、前端にいくにつれて漸次幅広に形成されている。本実施の形態では、切欠き凹状部１０の上縁１２は、平面視で略Ｖ字状に形成されている。また、切欠き凹状部１０における対向する下縁１１の間隙も、前端にいくにつれて漸次幅広に形成されている。本実施の形態では、切欠き凹状部１０の下縁１１は、平面視で略Ｕ字状に形成されている。そして、先端片７０の間に形成された前端間隙７３が前端にいくにつれて漸次幅広となることから、前端間隙７３に表面張力により保持できる肌用接着剤を増やすことができる。
【００３３】
図２に示すように、各先端片７０は、切欠き凹状部１０の下縁１１の後端部１１ａよりも前方に位置する部位は、平面視において先端にいくにつれて漸次狭幅に形成されている。各先端片７０の前端部の内縁は、凸湾曲状に形成された内縁湾曲部７１となっている。また、各先端片７０の前端部の外縁は、凸湾曲状に形成された外縁湾曲部７２となっている。外縁湾曲部７２の曲率半径は、内縁湾曲部７１の曲率半径よりも大きく設定されている。したがって、先端片７０を目頭付近の上瞼に差し入れ、スパチュラ１を目尻へ向けて上瞼に沿って横移動させる際、先端片７０の内縁湾曲部７１や外縁湾曲部７２が上瞼に引っ掛からずに滑らかに横移動させることができる。
【００３４】
次に、本実施形態の液体塗布具２０を用いて二重瞼を形成する場合について説明する。使用者は、先ずスパチュラ１の塗布液保持部７４を上向きにして、ノック部材５８をノック操作する。このノック部材５８のノック操作により、送出機構５１がタンク部４１内の肌用接着剤をスパチュラ１の貫通孔３内へ送り出して前端開口３１から外方へ吐出させ、一対の先端片７０の間に形成された塗布液保持部７４及び前端間隙７３に肌用接着剤が保持される。次に、この先端片７０を含む延設部７の前端部を目頭付近の上瞼に差し入れ、延設部７を目尻へ向けて上瞼に沿って横移動させることにより、上瞼に二重を形成しながら肌用接着剤を塗布することができ、これにより二重瞼が形成されることとなる。ここで、先端片７０が上瞼の二重に間隙を形成しつつ、この先端片７０の間に形成された塗布液保持部７４及び前端間隙７３に保持された肌用接着剤を上瞼の二重に塗布することから、ムラなく塗布することができる。
【００３５】
また、本発明に係る液体塗布具２０は、肌用接着剤の付けまつ毛への塗布にも用いることができる。付けまつ毛に肌用接着剤を塗布する場合には、二重瞼を形成する場合と同様、先端片７０の前端間隙７３に肌用接着剤を保持しておき、この前端間隙７３に付けまつ毛の根元を通すことにより、付けまつ毛に肌用接着剤を容易に塗布することができる。
【００３６】
なお、上述した実施形態における液体塗布具２０は、塗布液容器４０の後端部に設けられたノック部材５８をノック操作することにより、送出機構５１がタンク部４１内の塗布液をスパチュラ１へ送り出すように構成したが、本発明はこれに限定されない。例えば、塗布液容器の後端部に回転部材を相対回転可能に設け、この回転部材を回転させることにより送出機構がタンク部４１内の塗布液をスパチュラ１へ送り出すように構成してもよい。また、例えば、塗布液容器の側壁に形成された開口部にサイドノック部材を出没可能に設け、このサイドノック部材を操作することにより送出機構がタンク部４１内の塗布液をスパチュラ１へ送り出すように構成してもよい。また、例えば、塗布液容器の内部に送出機構を設けずに塗布液容器を熱可塑性樹脂等の可撓性のある材料で形成し、この塗布液容器を押圧することによりタンク部４１内の塗布液をスパチュラ１へ送り出すように構成してもよい。
【００３７】
次に、本発明の他の実施形態について、図７に基づいて説明する。他の実施形態に係る液体塗布具２０αは、上述の実施形態における塗布液容器４０の後端開口縁の形状、つまり尾冠４４の後端開口縁４５の形状を変更した以外、上述の実施形態に係る液体塗布具２０と同様の構成となっている。以下、上述の実施形態と異なる構成を中心に説明し、上述の実施形態と同様の構成については説明を省略する。
【００３８】
図７に示すように、尾冠８４の後端は、側面視凸湾曲状の後端開口縁８５が形成されている。後端開口縁８５には、後端開口縁８５において最後方に位置する最後端縁部８６と、ノック部材５８のストロークである作動位置Ｎよりも前方に位置する前端側縁部８７が形成されている。ここで、図７において実線で表した５８は、常態位置のノック部材５８を示し、二点鎖線で表したＮは、送出機構５１を作動させるノック部材５８のストローク範囲で押し込み操作された位置である作動位置Ｎを示している。
【００３９】
そして、使用者が液体塗布具２０αを用いて二重瞼を形成する場合、スパチュラ１の塗布液保持部７４を上向きにして塗布液容器８０を把持する。このとき、尾冠８４の後端開口縁８５は、前端側縁部８７が下方に位置して最後端縁部８６よりも前方に位置している。使用者は、スパチュラ１の塗布液保持部７４が上向きの状態、つまり後端開口縁８５の前端側縁部８７が下側で最後端縁部８６が上側の状態で塗布液容器８０を把持し、常態位置のノック部材５８を親指や人差し指で作動位置Ｎへ押し込むと、送出機構５１が作動してピストン５４がタンク部４１内を前方へ所定距離移動して、ピストン５４がタンク部４１内の肌用接着剤をスパチュラ１の貫通孔３内へ送り出す。ノック部材５８が作動位置Ｎに移動した場合に、ノック部材５８の後端が尾冠８４の最後端縁部８６よりも前方で尾冠８４の前端側縁部８７よりも後方に位置している。
【００４０】
これに対し、使用者がスパチュラ１の塗布液保持部７４を下向きにして塗布液容器８０を把持した場合、後端開口縁８５の最後端縁部８６が下側に、前端側縁部８７が上側に位置している。そして、使用者は、塗布液保持部７４が下向きの状態で塗布液容器８０を把持し、常態位置のノック部材５８を親指や人差し指で作動位置Ｎに向けて押し込んでいくと、指の腹が最後端縁部８６に当接してノック部材５８を作動位置Ｎまで押し込むことができず、送出機構５１を作動させることができない。これにより、使用者が誤ってスパチュラ１の塗布液保持部７４を下向きにした状態でノック部材５８をノック操作しても、前端開口３１から塗布液が吐出されないため、塗布液が塗布液保持部７４に保持されずに垂れ落ちることを防止できる。
【００４１】
以上、本発明の実施形態を説明したが、本発明はこれに限られず、適宜変更を加えて実施することができる。また、上述の実施形態では、図２に示すように、切欠き凹状部１０の上縁１２を平面視で略Ｖ字状に形成したが、図８に示すスパチュラ１'のように、切欠き凹状部９０の上縁９２を平面視で略Ｕ字状に形成し、切欠き凹状部９０の上縁９２の後端部９２ａに所定の幅を持たせてもよい。
【００４２】
また、上述した実施形態では、塗布液として肌用接着剤をタンク部４１に貯留したが、例えば、マスカラ、リップグロス等の液体化粧品や、フェイスペインティング・ボディペインティング用の化粧用インク等、他の塗布液をタンク部４１に貯留してもよい。
【符号の説明】
【００４３】
１，１'  スパチュラ               ２    フランジ部
３    貫通孔                      ４    本体部
５    基部                        ６    中間部
７    延設部                      ８    接続部
１０  切欠き凹状部
１１  下縁                        １１ａ  後端部
１２  上縁                        １２ａ  後端部
２０，２０α  液体塗布具
３１  前端開口                    ３２  拡径部
３３  リブ                        ３４  円形孔部
３５  狭小孔部                    ３６  上側内周面
３７  下側内周面
４０  塗布液容器                  ４１  タンク部
４２  軸筒                        ４３  首部
４４  尾冠                        ４５  後端開口縁
５１  送出機構                    ５２  回り止め部材
５３  ピストンロッド              ５４  ピストン
５５  ピストンロッドガイド        ５６  回転カム
５７  ばね                        ５８  ノック部材
６０  ホルダ                      ６１  先口
６２  チューブ部材                ６３  キャップ
７０  先端片
７１  内縁湾曲部                  ７２  外縁湾曲部
７３  前端間隙                    ７４  塗布液保持部
８０  塗布液容器
８４  尾冠                        ８５  後端開口縁
８６  最後端縁部                  ８７  前端側縁部
９０  切欠き凹状部
９２  上縁                        ９２ａ  後端部
【図１】
2015229094.tif 000003
【図２】
2015229094.tif 000004
【図３】
2015229094.tif 000005
【図４】
2015229094.tif 000006
【図５】
2015229094.tif 000007
【図６】
2015229094.tif 000008
【図７】
2015229094.tif 000009
【図８】
2015229094.tif 000010